(57)【要約】【課題】誤動作を防止して検出の安定化を図った盗難防止装置を提供する。【解決手段】この盗難防止装置は、可撓性を持つ絶縁材（絶縁フィルム３０）上に粘着層３４とともに導電パターン１８、１９、２０を備えて物品８に粘着層により取外し可能に取り付けられ、取外しにより異なる状態を呈するタグ２をその装着部１２によりコネクタ（タグコネクタケース４）に装着可能にした盗難防止装置であって、タグに装着部の近傍から突出させた補助固定部２６、２８を備え、この補助固定部を物品に前記粘着層により固定させている。【選択図】　　　　図１
2004078612.tif 000002
【特許請求の範囲】
【請求項１】
可撓性を持つ絶縁材に粘着層とともに導電パターンを備えて物品に前記粘着層により取外し可能に取り付けられ、取外しにより異なる状態を呈するタグを、該タグから突出した装着部によりコネクタと装着可能にした盗難防止装置であって、前記タグに前記装着部の近傍から突出させた補助固定部を備え、この補助固定部を前記物品に前記粘着層により固定させたことを特徴とする盗難防止装置。
【請求項２】
前記補助固定部は、前記装着部側に前記タグから突出させて成ることを特徴とする請求項１記載の盗難防止装置。
【発明の詳細な説明】
【０００１】
【発明の属する技術分野】
本発明は、盗難防止の対象である物品に取外し可能に取り付けられたタグの取外しによる異なる状態を検知し、その状態変化により警報を発する盗難防止装置に関する。
【０００２】
【従来の技術】
従来、物品にタグが取外し可能に取り付けられ、タグの取外しによる異なる状態を電気的に検知し、その状態変化により警報を発する盗難防止装置が知られている。例えば、特許第２７９９１３６号「盗難防止装置」では、物品に取外し可能に取り付けられて取外しに際して異なる状態を取り得るタグ、警報を発する警報手段、タグに接続されて異なる状態を検知し、その状態変化に応じて警報手段を制御する制御手段が備えられ、タグは、接着層と、接着層上に形成される導電層と、導電層上に形成される基材とを有し、物品にタグの接着層面を張り付け、制御手段により導電層の抵抗値を検出して異なる状態になったときに警報手段を駆動させ得るものである。
【０００３】
【発明が解決しようとする課題】
ところで、この盗難防止装置において、タグはコネクタに装着されて物品に粘着層により取り付けられ、コネクタ側の端部には顧客が物品を手にとって品定めをする等の通常の扱いによっても相当な応力を受けて剥れ易く、盗難等の意図がない場合にも不用意にタグが物品から剥がれ、警報を発する等の誤動作を生じる場合がある。
【０００４】
そこで、本発明は、誤動作を防止して検出の安定化を図った盗難防止装置を提供することを目的とする。
【０００５】
【課題を解決するための手段】
係る課題を解決した本発明の構成は次の通りである。
【０００６】
本発明の盗難防止装置は、可撓性を持つ絶縁材（絶縁フィルム３０）に粘着層３４とともに導電パターン１８、１９、２０を備えて物品８に前記粘着層により取外し可能に取り付けられ、取外しにより異なる状態を呈するタグ２を、該タグから突出した装着部１２によりコネクタ（タグコネクタケース４）と装着可能にした盗難防止装置であって、前記タグに前記装着部の近傍から突出させた補助固定部２６、２８を備え、この補助固定部を前記物品に前記粘着層により固定させたことを特徴とする。
【０００７】
タグに形成された装着部にはコネクタとの着脱のため粘着層が形成されていない。しかも、コネクタの装着部分と物品に取り付けられるタグとの間には落差が生じているが、装着部は屈曲してこの落差に対応している。従って、タグの装着部には、その屈曲によって応力を受けており、物品の取扱い等で応力が作用することになる。このような応力は、タグと物品との粘着層による接着部に対してタグと物品とを引き剥がす方向に作用し、物品の取扱い等で急激な応力を受けるとタグが物品から取り外されるという事態が発生する。
【０００８】
これに対し、本発明では、タグにその装着部の近傍から突出した補助固定部が備えられ、この補助固定部を粘着層により物品に固定する結果、装着部に受ける振動等の応力を補助固定部の固定により対抗させることができ、常態としての物品の取扱いによる振動等の応力で生じるタグの取外しを防止できる。その結果、誤動作を防止でき、動作の信頼性を高めることができる。
【０００９】
本発明の盗難防止装置において、前記補助固定部は、前記装着部側に前記タグから突出させて成ることを特徴とする。即ち、補助固定部がタグの本体部から装着部側に突出して形成されているので、装着部の屈曲等の応力作用を吸収でき、本体部と物品との取付強度を補助固定部が補完し、強化することができる。
【００１０】
【発明の実施の形態】
図１は、本発明の実施の形態に係る盗難防止装置を示している。この盗難防止装置は、可撓性を有するシート状のタグ２、中継部材であるタグコネクタケース４、制御手段であるとともに警報手段である装置本体６を備えている。
【００１１】
タグ２は、例えば、図２に示すように、ＣＤ等の盗難を防止すべき物品８に取外し可能な本体部１０とともに、タグコネクタケース４に装着される装着部１２を備え、タグコネクタケース４から引き出されたケーブル１４は装置本体６にホーンプラグ１６を通して接続される。
【００１２】
タグ２の本体部１０には物品８からの取外し、即ち、剥離によって異なる状態を呈する取外し検出手段として、銀カーボンインク等の印刷等で形成された導体層からなる導電パターン１８、２０が設置されている。各導電パターン１８、２０には複数の折曲部２２が設けられている。また、装着部１２にはタグコネクタケース４との装着及びその離脱を阻止する拘止突部２４が形成されている。
【００１３】
また、タグ２の本体部１０には装着部１２側からの剥離防止の手段として、装着部１２に平行して突出する補助固定部２６、２８が本体部１０と一体に形成されている。この実施の形態では、装着部１２の幅は本体部１０の幅より狭く形成されており、補助固定部２６、２８の幅は装着部１２の幅より狭いが、タグ２の装着部１２の近傍から突出させた補助固定部２６、２８は本体部１０の幅方向に突出しており、補助固定部２６、２８側のタグ２の幅は本体部１０の幅より大きく形成されている。
【００１４】
そして、タグ２は、例えば、図３に示すように、絶縁材料からなる可撓性を持つ絶縁材として絶縁フィルム３０が用いられ、この絶縁フィルム３０の表面に剥離可能な絶縁材からなる複数の剥離インク印刷層３２が任意の間隔ｄを設けて不連続的に設置され、これら剥離インク印刷層３２に跨がって導電パターン１８、２０が設置されている。この実施の形態では、各剥離インク印刷層３２の間隔ｄは、剥離インク印刷層３２の長さＬより小さく（Ｌ＞ｄ）設定されているが、剥離インク印刷層３２の長さＬと同等又は大きく（Ｌ≦ｄ）設定してもよい。そして、これら導電パターン１８、２０の表面を覆って粘着層３４が形成されている。従って、タグ２の本体部１０は粘着層３４を以て物品８に取外し可能に取り付けられる。
【００１５】
また、タグ２において、補助固定部２６、２８は、図４に示すように、導電パターン１８、２０が形成された装着部１２の近傍から突出して形成されており、その下面側には本体部１０と同様に粘着層３４が設置されている。従って、粘着層３４を備えていないため、物品８から遊離した状態の装着部１２とは異なり、補助固定部２６、２８は本体部１０と同様に物品８の表面に取り付けられている。
【００１６】
また、タグコネクタケース４はタグ２と装置本体６との間に設置される例えば、合成樹脂製の筐体であって、その内部に設置された抵抗器３６は、タグ２の導電パターン１８、２０に接続され、ケーブル１４の導体３８、４０を介して装置本体６との接続手段であるホーンプラグ１６に接続されている。
【００１７】
そして、装置本体６にはタグ２側に発生する状態変化を検出し、警報信号を発生する制御装置４２が設置され、この制御装置４２には例えば、マイクロコンピュータが用いられ、初期状態を記憶する記憶手段４４が設置されているとともに、警報信号によって動作する警報手段として警報ブザーや警報ランプからなる警報器４６が接続されている。また、この装置本体６には一定の電圧Ｖを発生する電源装置４８とともに抵抗器５０が設置されており、この抵抗器５０と接地点（ＧＮＤ）との間にはホーンプラグ１６、ケーブル１４の導体３８、４０、導電パターン１８、２０を介して抵抗器３６が接続され、これら抵抗器５０、３６の直列回路には電源装置４８から一定の電圧Ｖが加えられている。抵抗器５０と抵抗器３６との分圧点ｎに発生する電圧Ｖｎが制御装置４２のＡ／Ｄコンバータ入力部に加えられ、ディジタル値に変換される。
【００１８】
このような構成において、動作を説明すると、正常時には、図５（Ａ）の状態となる。電源装置４８から印加される電圧をＶ、抵抗器５０、３６の抵抗値をＲとし、ケーブル１４の導体３８、４０及び導電パターン１８、２０の各抵抗値ｒをｒ≪Ｒとし、抵抗値Ｒに対して無視できる程度とすれば、分圧点ｎを通して制御装置４２に加えられる検出電圧Ｖｎは、
Ｖｎ＝Ｖ×（Ｒ／２Ｒ）＝Ｖ／２　　　　　　　・・・（１）
となる。例えば、Ｒ＝２．２〔ｋΩ〕、Ｖ＝３．３〔ボルト〕とすると、Ｖｎ＝１．６５〔ボルト〕となる。
【００１９】
そこで、初期設定では、装置本体６にタグコネクタケース４を介してタグ２が接続された時点で、分圧点ｎに発生する検出電圧Ｖｎを取り込み、初期状態の電圧値をディジタル値に変換してタグ２毎に記憶手段４４に記憶する。そして、正常時の基準電圧範囲として初期値Ｖｒに正常と見做し得る許容電圧変動幅±ΔＶ（例えば、±０．４〔ボルト〕以内）を加えた電圧範囲（Ｖｒ±ΔＶ）が設定される。この電圧範囲（Ｖｒ±ΔＶ）はディジタル値で記憶手段４４に記憶される。そして、検出電圧Ｖｎがこの電圧範囲（Ｖｒ±ΔＶ）を逸脱したとき、異常と判定し、警報信号を発する。この場合、電圧範囲（Ｖｒ±ΔＶ）は、複数のタグ２を使用する場合、各タグ２毎に個別に定まる値である。
【００２０】
そして、異常時、ケーブル１４が切断されたり、タグ２の取外しによって導電パターン１８、２０の一部又は全部が破断（断線）すると、例えば、図５（Ｂ）のように、抵抗器３６が離脱することになる。このとき、分圧点ｎと接地点（ＧＮＤ）との間の抵抗値Ｒ＝無限大となり、分圧点ｎを通して制御装置４２に加えられる検出電圧Ｖｎは電源装置４８の電圧Ｖとなる。即ち、Ｖｎ＝Ｖであり、Ｖ＝３．３〔ボルト〕の場合には、Ｖｎ＝３．３〔ボルト〕となる。
【００２１】
また、異常時、タグ２の取外しや外部からの操作等により、導電パターン１８、２０が短絡すると、例えば、図５（Ｃ）のように、抵抗器３６が短絡されて、分圧点ｎと接地点（ＧＮＤ）との間の抵抗値Ｒ＝零となり、分圧点ｎを通して制御装置４２に加えられる検出電圧Ｖｎは零となる。即ち、Ｖｎ＝０である。
【００２２】
このように、正常時にはＶｎ＝Ｖ／２〔ボルト〕、異常時には、Ｖｎ＝Ｖ〔ボルト〕か、Ｖｎ＝０〔ボルト〕となるので、導電パターン１８、２０間の抵抗器３６の抵抗値Ｒを監視し、状態変化を表す分圧点ｎの検出電圧Ｖｎの値により、制御装置４２で正常か異常かを判別することができる。また、これら以外に、検出電圧Ｖｎが初期値Ｖｒと許容電圧変動幅±ΔＶとの加算値である電圧範囲（Ｖｒ±ΔＶ）を逸脱して変動した場合にも異常状態として検出される。
【００２３】
そして、これら異常時には、制御装置４２から警報信号が発せられ、警報器４６は警報信号を受けて警報を発し、異常事態を告知することができる。
【００２４】
また、この実施の形態では、導電パターン１８、２０と絶縁フィルム３０との間に複数の剥離インク印刷層３２が任意の間隔ｄを設けて設置されているので、物品８に取り付けられているタグ２が引き剥がされるとき、導電パターン１８、２０が剥離インク印刷層３２の切り目部分（即ち、間隔ｄの部分）で容易に断裂し、図５（Ｂ）に示す状態変化を発生させ、異常状態の検出精度を高めることができる。
【００２５】
また、絶縁フィルム３０に周回状に形成された導電パターン１８、２０は、複数の折曲部２２を有するとともに、タグ２の先端側に折曲部２２を有するので、取外し時の応力を受けて断裂し易くなっており、このため、異常状態の検出精度が高められている。
【００２６】
そして、タグ２の製造方法としては、例えば、絶縁フィルム３０上に剥離インク印刷層３２を印刷によって形成し、その上に導電パターン１８、２０を印刷により形成した後、剥離インク印刷層３２及び導電パターン１８、２０を覆って粘着層３４を形成するという製造方法により、均一なタグ２を製造することができる。
【００２７】
また、このようなタグ２によれば、装着部１２側に本体部１０側から装着部１２とほぼ平行を成す一対の補助固定部２６、２８を突出させ、この補助固定部２６、２８にも粘着層３４を設けて物品８に貼り付けているので、タグ２の装着部１２側の取付け強度を高めることができ、粘着層３４を持たない装着部１２側に作用する振動等の応力を補助固定部２６、２８で吸収させることができ、物品８の取扱い等の操作で不用意にタグ２が剥がれる等の不都合を防止することができる。
【００２８】
また、粘着層３４が劣化した場合、タグコネクタケース４からロック解除により劣化したタグ２を取り外し、容易に交換することができ、安定した検出精度を維持することができる。
【００２９】
また、抵抗器３６は、図示しないがタグ２の絶縁フィルム３０上に設置して導電パターン１８、２０間に接続してもよい。このようにすれば、抵抗器３６の抵抗値の監視によって異常状態を検出できるという、同様の効果が期待できるとともに、抵抗器３６を設置するためのケース等が不要になり、盗難防止装置のコンパクト化を図ることができる。
【００３０】
また、タグ２の導電パターン１８、２０は、他の実施の形態として、例えば、図６に示すように、単一の導電パターン１９を抵抗体で構成してもよい。このように構成すれば、タグコネクタケース４から抵抗器３６を除いて構成でき、導電パターン１９が持つ抵抗体の抵抗値の変化を監視することにより、タグ２の剥離等の異常時を電気的な状態変化で検出することができる。
【００３１】
また、タグ２において、この実施の形態では、補助固定部２６、２８が装着部１２を挟んで平行に形成されているが、一方のみを形成してもよい。また、この実施の形態では、補助固定部２６、２８が装着部１２の近傍に、装着部１２と平行に突出して形成されているが、補助固定部２６、２８の形態としては、装着部１２に対して平行に形成する必要はなく、角部を以て突出形成してもよく、また、装着部１２と直角方向に突出させ、即ち、タグ２の幅方向に突出させて形成してもよい。係る構成によっても、タグ２の固定強度を補助固定部２６、２８で増強させることができる。
【００３２】
また、この実施の形態では、導電パターン１８、１９、２０をタグ２の長手方向に周回する形態としたが、タグ２の幅方向にジグザグ状に屈曲する形態としてもよい。
【００３３】
【発明の効果】
以上説明したように、本発明によれば、次の効果が得られる。
ａ　誤動作を防止して検出の安定化を図った盗難防止装置を提供することができる。
ｂ　コネクタに装着されるタグの装着部側に補助固定部を設け、この補助固定部を本体部と同様に粘着層を以て物品に取り付けているので、粘着層で固着しない装着部にコネクタから作用する振動等の応力を吸収して物品からの剥がれを防止でき、信頼性の高い盗難防止装置を提供することができる。
【図面の簡単な説明】
【図１】本発明の実施の形態に係る盗難防止装置の概要を示す回路図である。
【図２】盗難防止装置の使用状態を示す斜視図である。
【図３】導電パターンに沿って切断して示したタグの構造を示す断面図である。
【図４】図１のＩＶ−ＩＶ線断面図である。
【図５】盗難防止装置の動作を示す回路図であって、（Ａ）は正常時を示す回路図、（Ｂ）は破断（断線）時の動作を示す回路図、（Ｃ）は短絡時の動作を示す回路図である。
【図６】他の実施の形態に係るタグを示す平面図である。
【符号の説明】
２　タグ
４　タグコネクタケース（コネクタ）
８　物品
１８、１９、２０　導電パターン
２６、２８　補助固定部
３０　絶縁フィルム（絶縁材）
３４　粘着層
【図１】
2004078612.tif 000003
【図２】
2004078612.tif 000004
【図３】
2004078612.tif 000005
【図４】
2004078612.tif 000006
【図５】
2004078612.tif 000007
【図６】
2004078612.tif 000008